(57)【要約】【課題】  デマケーション部がステップ本体部から外れることを抑制することができるマンコンベヤ用ステップを提供する。【解決手段】  マンコンベヤ用ステップは、平坦状に形成される踏面部と湾曲状に形成される蹴上部とを有するステップ本体部と、踏面部の第１方向の端部と蹴上部の第２方向の端部とに連接されるデマケーション部と、を備える、マンコンベヤ用ステップであって、ステップ本体部は、デマケーション部を第１方向で止める第１停止部と、デマケーション部を第２方向で止める第２停止部と、を備える。【選択図】  図３
2020019646.tif 000002
【特許請求の範囲】
【請求項１】
平坦状に形成される踏面部と湾曲状に形成される蹴上部とを有するステップ本体部と、
前記踏面部の第１方向の端部と前記蹴上部の第２方向の端部とに連接されるデマケーション部と、を備える、マンコンベヤ用ステップであって、
前記ステップ本体部は、前記デマケーション部を前記第１方向で止める第１停止部と、前記デマケーション部を前記第２方向で止める第２停止部と、を備える、マンコンベヤ用ステップ。
【請求項２】
前記踏面部と前記デマケーション部とは、互い接する連接部をそれぞれ備え、
前記連接部のそれぞれは、前記第２方向の外側に行くにつれて前記第１方向の外側へ行くように、傾斜する、請求項１に記載のマンコンベヤ用ステップ。
【請求項３】
前記蹴上部は、前記第１停止部を備え、
前記踏面部は、前記第２停止部を備え、
前記第１停止部は、前記第２方向に凸状であり、
前記デマケーション部は、前記第１停止部に挿入されることによって前記第１停止部に前記第１方向で止められるように、前記第２方向に凹状である被停止部を備える、請求項１又は２に記載のマンコンベヤ用ステップ。
【請求項４】
前記第１停止部の前記第１方向の内側部は、前記第２方向の外側に行くにつれて前記第１方向の外側へ行くように、傾斜する、請求項３に記載のマンコンベヤ用ステップ。
【請求項５】
請求項１〜４の何れか１項に記載のマンコンベヤ用ステップを複数備える、マンコンベヤ。
【発明の詳細な説明】
【技術分野】
【０００１】
本発明は、マンコンベヤ用ステップ及びマンコンベヤに関する。
【背景技術】
【０００２】
従来、例えば、マンコンベヤ用ステップは、ステップ本体部と、ステップ本体部に取り付けられるデマケーション部とを備えている。ステップ本体部は、平坦状に形成される踏面部と、湾曲状に形成される蹴上部とを備えており、デマケーション部は、踏面部の端部と蹴上部の端部とに連結されている（例えば、特許文献１及び２）。
【０００３】
そして、デマケーション部は、例えば、固定具（例えば、ネジ、ピン、ビス）によって、ステップ本体部に固定されている。ところで、例えば、固定具が破損した場合に、デマケーション部が踏まれることによって、デマケーション部が力を受けた場合に、デマケーション部がステップ本体部から簡単に外れてしまう。
【先行技術文献】
【特許文献】
【０００４】
【特許文献１】特開２０１７−２４８９３号公報
【発明の概要】
【発明が解決しようとする課題】
【０００５】
そこで、課題は、デマケーション部がステップ本体部から外れることを抑制することができるマンコンベヤ用ステップ及びマンコンベヤを提供することである。
【課題を解決するための手段】
【０００６】
マンコンベヤ用ステップは、平坦状に形成される踏面部と湾曲状に形成される蹴上部とを有するステップ本体部と、前記踏面部の第１方向の端部と前記蹴上部の第２方向の端部とに連接されるデマケーション部と、を備える、マンコンベヤ用ステップであって、前記ステップ本体部は、前記デマケーション部を前記第１方向で止める第１停止部と、前記デマケーション部を前記第２方向で止める第２停止部と、を備える。
【０００７】
また、マンコンベヤ用ステップにおいては、前記踏面部と前記デマケーション部とは、互い接する連接部をそれぞれ備え、前記連接部のそれぞれは、前記第２方向の外側に行くにつれて前記第１方向の外側へ行くように、傾斜する、という構成でもよい。
【０００８】
また、マンコンベヤ用ステップにおいては、前記蹴上部は、前記第１停止部を備え、前記踏面部は、前記第２停止部を備え、前記第１停止部は、前記第２方向に凸状であり、前記デマケーション部は、前記第１停止部に挿入されることによって前記第１停止部に前記第１方向で止められるように、前記第２方向に凹状である被停止部を備える、という構成でもよい。
【０００９】
また、マンコンベヤ用ステップにおいては、前記第１停止部の前記第１方向の内側部は、前記第２方向の外側に行くにつれて前記第１方向の外側へ行くように、傾斜する、という構成でもよい。
【００１０】
また、マンコンベヤは、前記のマンコンベヤ用ステップを複数備える。
【図面の簡単な説明】
【００１１】
【図１】図１は、一実施形態に係るマンコンベヤの全体概要図である。
【図２】図２は、同実施形態に係る搬送部の要部分解斜視図である。
【図３】図３は、同実施形態に係るステップの図２のIII−III線要部断面図である。
【図４】図４は、同実施形態に係るステップの要部分解縦断面図である。
【図５】図５は、同実施形態に係るステップの要部縦断面図であって、デマケーション部がステップ本体部から外れないことを説明する図である。
【図６】図６は、同実施形態に係るステップの要部縦断面図であって、デマケーション部をステップ本体部に取り付ける方法を説明する図である。
【発明を実施するための形態】
【００１２】
以下、マンコンベヤ及びマンコンベヤ用ステップにおける一実施形態について、図１〜図６を参照しながら説明する。なお、各図において、図面の寸法比と実際の寸法比とは、必ずしも一致しておらず、また、各図面の間での寸法比も、必ずしも一致していない。
【００１３】
図１に示すように、本実施形態に係るマンコンベヤ１は、躯体に固定される構造部２と、人を搬送する搬送部３と、人につかまれる手摺部４と、搬送部３及び手摺部４を駆動させる駆動部５と、マンコンベヤ１の全体を制御する制御部６とを備えている。なお、本実施形態に係るマンコンベヤ１は、踏面が階段状になるエスカレータであるが、斯かる構成に限られない。例えば、マンコンベヤ１は、踏面が平面状となる移動歩道（動く歩道）であってもよい。
【００１４】
構造部２は、躯体に固定されるトラス構造２ａを備えている。トラス構造２ａは、上下階の間に掛け渡されている。また、トラス構造２ａは、上方の端部と下方の端部とに、それぞれ機械室２ｂ，２ｂを備えている。具体的には、トラス構造２ａは、マンコンベヤ１の各乗降口１ａの下方に、機械室２ｂを備えている。そして、構造部２は、各乗降口１ａの床を構成するために、各機械室２ｂを上方から覆う床板部２ｃを備えている。なお、構造部２は、各構成３〜６を支持している。
【００１５】
搬送部３は、無端回転する環状の走行部３ａと、走行部３ａに対して回転可能に接続され、人が乗る踏面を有する複数のステップ７とを備えている。なお、走行部３ａは、幅方向Ｄ３に離れて一対設けられている。そして、複数のステップ７は、一対の走行部３ａ，３ａの間に配置され、それぞれの走行部３ａに対して回転可能に接続されている。
【００１６】
駆動部５は、ステップ７が反転するように、走行部３ａが巻き掛けられる一対の回転部（例えば、スプロケット）５ａ，５ａと、回転部５ａを回転させる駆動源（例えば、モータ）５ｂとを備えている。回転部５ａは、構造部２に回転可能に接続されている。なお、上方の回転部５ａ及び駆動源５ｂは、上方の機械室２ｂの内部に配置されており、下方の回転部５ａは、下方の機械室２ｂの内部に配置されている。
【００１７】
図２に示すように、搬送部３は、一対の走行部３ａ，３ａにそれぞれ連結される連結軸３ｂを備えており、ステップ７は、連結軸３ｂに回転可能に連結されている。これにより、ステップ７は、走行部３ａに対して回転可能に接続されている。なお、走行部３ａの構成は、特に限定されないが、本実施形態においては、走行部３ａは、チェーンと、チェーンに回転可能に接続されるローラとを備えている。
【００１８】
ステップ７は、ステップ本体部８と、ステップ本体部８に取り付けられる複数のデマケーション部７ａ，７ｂ，９と、ステップ本体部８に回転可能に接続されるローラ７ｃとを備えている。ステップ本体部８は、人が乗るために、平坦状に形成される踏面部１０と、湾曲状に形成される蹴上部１１と、踏面部１０及び蹴上部１１を支持する支持部８ａとを備えている。なお、支持部８ａは、踏面部１０と蹴上部１１とを接続している。また、支持部８ａは、連結軸３ｂに回転可能に連結される連結部８ｂを備えている。
【００１９】
踏面部１０、蹴上部１１及び支持部８ａは、一体で形成されており、分離不能である、という構成でもよい。また、踏面部１０、蹴上部１１及び支持部８ａは、それぞれ別体で形成されており、例えば固定部材よって、互いに固定されている、という構成でもよい。なお、ステップ本体部８は、例えば、金属（例えば、アルミ、ステンレス鋼）で形成されていてもよい。
【００２０】
複数のデマケーション部７ａ，７ｂ，９のうち、踏面部１０の第１方向Ｄ１の端部と蹴上部１１の第２方向Ｄ２の端部とに連接されるデマケーション部９は、角端デマケーション部９という。また、踏面部１０の第１方向Ｄ１の角端デマケーション部９と反対側の端部に配置されるデマケーション部７ａは、先端デマケーション部７ａといい、踏面部１０の幅方向Ｄ３の両端部に配置されるデマケーション部７ｂは、それぞれ側端デマケーション部７ｂという。
【００２１】
デマケーション部７ａ，７ｂ，９は、視覚で識別できるように、ステップ本体部８と異なる色を有している。例えば、デマケーション部７ａ，７ｂ，９は、黄色であってもよい。また、デマケーション部７ａ，７ｂ，９は、例えば、硬質樹脂で形成されていてもよい。なお、先端デマケーション部７ａ及び側端デマケーション部７ｂは、設けられていなくてもよい。
【００２２】
なお、ステップ７が階段状を形成する位置（図１に図示されている位置）に位置している場合には、第１方向Ｄ１は、前後方向であり、第２方向Ｄ２は、上下方向である。また、踏面部１０は、第１方向Ｄ１及び幅方向Ｄ３を含む仮想面に沿って平坦状に形成されており、第２方向Ｄ２は、第１方向Ｄ１及び幅方向Ｄ３を含む当該仮想面に対して直交する方向である。
【００２３】
本明細書において、第１方向Ｄ１の外側とは、ステップ７の第１方向Ｄ１の端部側のことであり、第１方向Ｄ１の内側とは、ステップ７の第１方向Ｄ１の中心側のことである。同様に、第２方向Ｄ２の外側とは、ステップ７の第２方向Ｄ２の端部側のことであり、第２方向Ｄ２の内側とは、ステップ７の第２方向Ｄ２の中心側のことである。
【００２４】
図３及び図４に示すように、ステップ７は、角端デマケーション部９をステップ本体部８に固定させる固定具７ｄを備えている。固定具７ｄは、特に限定されないが、例えば、ネジ、ピン、又はビスとしてもよい。なお、以下に、ステップ本体部８及び角端デマケーション部９の構成を説明するが、角端デマケーション部９がステップ本体部８に取り付けられている状態について説明する。
【００２５】
踏面部１０は、第２方向Ｄ２の内側に配置されるベース部１０ａと、第２方向Ｄ２の外側（踏面部１０の表面側）に配置される凹凸状の表面部１０ｂとを備えている。表面部１０ｂは、第１方向Ｄ１に沿って延びる複数の山部（図２において一部図示している）を備えており、複数の山部は、幅方向Ｄ３に並列されている。
【００２６】
蹴上部１１は、第１方向Ｄ１の内側に配置されるベース部１１ａと、第１方向Ｄ１の外側（蹴上部１１の表面側）に配置される凹凸状の表面部１１ｂとを備えている。表面部１１ｂは、第２方向Ｄ２に沿って延びる複数の山部を備えており、複数の山部は、幅方向Ｄ３に並列されている。
【００２７】
角端デマケーション部９は、第２方向Ｄ２の内側に配置されるベース部９ａと、第２方向Ｄ２の外側（踏面側）に配置される凹凸状の表面部９ｂとを備えている。表面部９ｂは、第１方向Ｄ１に沿って延びる複数の山部（図２において一部図示している）を備えており、複数の山部は、幅方向Ｄ３に並列されている。
【００２８】
蹴上部１１は、角端デマケーション部９を第１方向Ｄ１で止める第１停止部１１ｃを備えており、角端デマケーション部９は、第１停止部１１ｃに第１方向Ｄ１で止められる第１被停止部９ｃを備えている。また、踏面部１０は、角端デマケーション部９を第２方向Ｄ２で止める第２停止部１０ｃを備えており、角端デマケーション部９は、第２停止部１０ｃに第２方向Ｄ２で止められる第２被停止部９ｄを備えている。
【００２９】
第１停止部１１ｃは、第２方向Ｄ２に凸状である。具体的には、第１停止部１１ｃは、蹴上部１１のベース部１１ａ及び表面部１１ｂから、第２方向Ｄ２の外側に向けて突出している。そして、第１停止部１１ｃの第１方向Ｄ１の内側部１１ｄは、第２方向Ｄ２の外側に行くにつれて第１方向Ｄ１の外側へ行くように、傾斜している。
【００３０】
第１被停止部９ｃは、角端デマケーション部９のベース部９ａに設けられ、第２方向Ｄ２に凹状である。そして、第１停止部１１ｃが第１被停止部９ｃに挿入することによって、第１被停止部９ｃは、第１停止部１１ｃに第１方向Ｄ１で止められる。また、第１被停止部９ｃの第１方向Ｄ１の内側部９ｅは、第２方向Ｄ２の外側に行くにつれて第１方向Ｄ１の外側へ行くように、傾斜している。これにより、第１被停止部９ｃの内側部９ｅは、第１停止部１１ｃの内側部１１ｄと密接している。
【００３１】
第２被停止部９ｄは、第１方向Ｄ１に凸状である。具体的には、第２被停止部９ｄは、角端デマケーション部９のベース部９ａから、第１方向Ｄ１の内側に向けて突出している。なお、第２停止部１０ｃは、踏面部１０のベース部１０ａの第２方向Ｄ２の内側部で構成されており、第２被停止部９ｄは、第２停止部１０ｃよりも、第２方向Ｄ２の内側に配置されている。これにより、第２被停止部９ｄは、第２停止部１０ｃに第２方向Ｄ２で止められる。
【００３２】
また、踏面部１０と角端デマケーション部９とは、互い接する連接部１０ｄ，９ｆをそれぞれ備えている。そして、連接部１０ｄ，９ｆのそれぞれは、第２方向Ｄ２の外側に行くにつれて第１方向Ｄ１の外側へ行くように、傾斜している。なお、踏面部１０の連接部１０ｄは、踏面部１０の表面部１０ｂに設けられ、角端デマケーション部９の連接部９ｆは、角端デマケーション部９の表面部９ｂに設けられている。
【００３３】
本実施形態に係るマンコンベヤ１の構成については以上の通りであり、次に、本実施形態に係るマンコンベヤ１の作用について図５を参照しながら説明する。
【００３４】
角端デマケーション部９が、固定具７ｄ（図３参照）によって、ステップ本体部８に固定されているため、角端デマケーション部９は、ステップ本体部８から外れない。しかしながら、例えば、固定具７ｄが破損した場合には、固定具７ｄによる固定が解除されるため、角端デマケーション部９がステップ本体部８から外れる可能性は否定できない。
【００３５】
例えば、人がステップ７を昇ったり降りたりする際に、角端デマケーション部９が踏まれた場合には、図５に示すように、角端デマケーション部９は、斜め下向きの力Ｆ１を受ける。これに対して、蹴上部１１の第１停止部１１ｃは、角端デマケーション部９の第１被停止部９ｃを第１方向Ｄ１で止めていると共に、踏面部１０の第２停止部１０ｃは、角端デマケーション部９の第２被停止部９ｄを第２方向Ｄ２で止めている。これにより、角端デマケーション部９がステップ本体部８から外れることを抑制することができる。
【００３６】
しかも、角端デマケーション部９の第１被停止部９ｃと第２被停止部９ｄとが、離れているため、第１停止部１１ｃ及び第２停止部１０ｃは、角端デマケーション部９を離れた部分で止めている。これにより、角端デマケーション部９が力Ｆ１を受けた場合に、角端デマケーション部９がステップ本体部８に対してガタつくことを抑制することができる。
【００３７】
また、例えば、人がステップ７を昇る際に、角端デマケーション部９が蹴り上げられた場合には、図５に示すように、角端デマケーション部９は、斜め上向きの力Ｆ２を受ける。これに対して、各連接部１０ｄ，９ｆが、第２方向Ｄ２の外側に行くにつれて第１方向Ｄ１の外側へ行くように、傾斜しているため、踏面部１０の連接部１０ｄは、角端デマケーション部９の連接部９ｆを斜め下向きで止めている。これにより、角端デマケーション部９がステップ本体部８から外れることを抑制することができる。
【００３８】
次に、本実施形態に係る角端デマケーション部９をステップ本体部８に取り付ける方法について、図６を参照しながら説明する。
【００３９】
図６に示すように、第１停止部１１ｃの内側部１１ｄは、第２方向Ｄ２の外側に行くにつれて第１方向Ｄ１の外側へ行くように、傾斜している。これにより、角端デマケーション部９の連接部９ｆが踏面部１０の連接部１０ｄに当てられた状態で、角端デマケーション部９が回動することによって、第１停止部１１ｃは、第１被停止部９ｃに挿入される。
【００４０】
また、それに伴って、第２被停止部９ｄは、第２停止部１０ｃの第２方向Ｄ２の内側に位置する。したがって、角端デマケーション部９をステップ本体部８に容易に取り付けることができる。そして、その後、角端デマケーション部９は、固定具７ｄ（図３参照）によって、ステップ本体部８に固定される。
【００４１】
以上より、本実施形態に係るマンコンベヤ１は、前記のマンコンベヤ１用ステップ７を複数備える。
【００４２】
そして、本実施形態に係るマンコンベヤ１用ステップ７は、平坦状に形成される踏面部１０と湾曲状に形成される蹴上部１１とを有するステップ本体部８と、前記踏面部１０の第１方向Ｄ１の端部と前記蹴上部１１の第２方向Ｄ２の端部とに連接されるデマケーション部９と、を備える、マンコンベヤ１用ステップ７であって、前記ステップ本体部８は、前記デマケーション部９を前記第１方向Ｄ１で止める第１停止部１１ｃと、前記デマケーション部９を前記第２方向Ｄ２で止める第２停止部１０ｃと、を備える。
【００４３】
斯かる構成によれば、第１停止部１１ｃは、デマケーション部９を第１方向Ｄ１で止めると共に、第２停止部１０ｃは、デマケーション部９を第２方向Ｄ２で止める。これにより、デマケーション部９が踏まれることで力Ｆ１を受けた場合に、第１停止部１１ｃ及び第２停止部１０ｃが協働してデマケーション部９を止めるため、デマケーション部９がステップ本体部８から外れることを抑制することができる。
【００４４】
また、本実施形態に係るマンコンベヤ１用ステップ７においては、前記踏面部１０と前記デマケーション部９とは、互い接する連接部１０ｄ，９ｆをそれぞれ備え、前記連接部１０ｄ，９ｆのそれぞれは、前記第２方向Ｄ２の外側に行くにつれて前記第１方向Ｄ１の外側へ行くように、傾斜する、という構成である。
【００４５】
斯かる構成によれば、連接部１０ｄ，９ｆが、第２方向Ｄ２の外側に行くにつれて第１方向Ｄ１の外側へ行くように、傾斜しているため、デマケーション部９が蹴り上げられることで力Ｆ２を受けた場合に、踏面部１０の連接部１０ｄは、デマケーション部９の連接部９ｆを止める。これにより、デマケーション部９がステップ本体部８から外れることをさらに抑制することができる。
【００４６】
また、本実施形態に係るマンコンベヤ１用ステップ７においては、前記蹴上部１１は、前記第１停止部１１ｃを備え、前記踏面部１０は、前記第２停止部１０ｃを備え、前記第１停止部１１ｃは、前記第２方向Ｄ２に凸状であり、前記デマケーション部９は、前記第１停止部１１ｃに挿入されることによって前記第１停止部１１ｃに前記第１方向Ｄ１で止められるように、前記第２方向Ｄ２に凹状である被停止部９ｃを備える、という構成である。
【００４７】
斯かる構成によれば、蹴上部１１が第１停止部１１ｃを備えており、踏面部１０が第２停止部１０ｃを備えているため、第１停止部１１ｃ及び第２停止部１０ｃは、デマケーション部９の離れた部分をそれぞれ止めている。これにより、デマケーション部９が力Ｆ１を受けた場合に、デマケーション部９がステップ本体部８に対してガタつくことを抑制することができる。
【００４８】
また、本実施形態に係るマンコンベヤ１用ステップ７においては、前記第１停止部１１ｃの前記第１方向Ｄ１の内側部１１ｄは、前記第２方向Ｄ２の外側に行くにつれて前記第１方向Ｄ１の外側へ行くように、傾斜する、という構成である。
【００４９】
斯かる構成によれば、第１停止部１１ｃの第１方向Ｄ１の内側部１１ｄが、第２方向Ｄ２の外側に行くにつれて第１方向Ｄ１の外側へ行くように、傾斜しているため、デマケーション部９は、ステップ本体部８に対して回動させながら、ステップ本体部８に取り付けることができる。
【００５０】
なお、マンコンベヤ１及びマンコンベヤ１用ステップ７は、上記した実施形態の構成に限定されるものではなく、また、上記した作用効果に限定されるものではない。また、マンコンベヤ１及びマンコンベヤ１用ステップ７は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５１】
（１）上記実施形態に係るステップ７においては、踏面部１０及び角端デマケーション部９の連接部１０ｄ，９ｆのそれぞれは、第２方向Ｄ２の外側に行くにつれて第１方向Ｄ１の外側へ行くように、傾斜する、という構成である。しかしながら、ステップ７は、斯かる構成に限られない。例えば、連接部１０ｄ，９ｆのそれぞれは、第２方向Ｄ２の外側に行くにつれて第１方向Ｄ１の内側へ行くように、傾斜する、という構成でもよい。また、例えば、連接部１０ｄ，９ｆのそれぞれは、第２方向Ｄ２と平行である、という構成でもよい。
【００５２】
（２）また、上記実施形態に係るステップ７においては、蹴上部１１は、第１停止部１１ｃを備えており、踏面部１０は、第２停止部１０ｃを備えている、という構成である。しかしながら、ステップ７は、斯かる構成に限られない。例えば、第１停止部及び第２停止部の両方は、蹴上部１１に設けられている、という構成でもよい。また、例えば、第１停止部及び第２停止部の両方は、踏面部１０に設けられている、という構成でもよい。また、例えば、第１停止部及び第２停止部の少なくとも一方は、支持部８ａに設けられている、という構成でもよい。
【００５３】
（３）また、上記実施形態に係るステップ７においては、第１停止部１１ｃは、第２方向Ｄ２に凸状であり、第１被停止部９ｃは、第２方向Ｄ２に凹状である、という構成である。しかしながら、ステップ７は、斯かる構成に限られない。例えば、第１停止部１１ｃは、第２方向Ｄ２に凹状であり、第１被停止部９ｃは、第１停止部１１ｃに挿入するために、第２方向Ｄ２に凸状である、という構成でもよい。
【００５４】
（４）また、上記実施形態に係るステップ７においては、第１停止部１１ｃの内側部１１ｄは、第２方向Ｄ２の外側に行くにつれて第１方向Ｄ１の外側へ行くように、傾斜する、という構成である。しかしながら、ステップ７は、斯かる構成に限られない。例えば、第１停止部１１ｃの内側部１１ｄは、第２方向Ｄ２の外側に行くにつれて第１方向Ｄ１の内側へ行くように、傾斜する、という構成でもよい。また、例えば、第１停止部１１ｃの内側部１１ｄは、第２方向Ｄ２と平行である、という構成でもよい。
【符号の説明】
【００５５】
１…マンコンベヤ、１ａ…乗降口、２…構造部、２ａ…トラス構造、２ｂ…機械室、２ｃ…床板部、３…搬送部、３ａ…走行部、３ｂ…連結軸、４…手摺部、５…駆動部、５ａ…回転部、５ｂ…駆動源、６…制御部、７…ステップ、７ａ…先端デマケーション部、７ｂ…側端デマケーション部、７ｃ…ローラ、７ｄ…固定具、８…ステップ本体部、８ａ…支持部、８ｂ…連結部、９…角端デマケーション部、９ａ…ベース部、９ｂ…表面部、９ｃ…第１被停止部、９ｄ…第２被停止部、９ｅ…内側部、９ｆ…連接部、１０…踏面部、１０ａ…ベース部、１０ｂ…表面部、１０ｃ…第２停止部、１０ｄ…連接部、１１…蹴上部、１１ａ…ベース部、１１ｂ…表面部、１１ｃ…第１停止部、１１ｄ…内側部、Ｄ１…第１方向、Ｄ２…第２方向、Ｄ３…幅方向
【図１】
2020019646.tif 000003
【図２】
2020019646.tif 000004
【図３】
2020019646.tif 000005
【図４】
2020019646.tif 000006
【図５】
2020019646.tif 000007
【図６】
2020019646.tif 000008